(57)【要約】      （修正有）【課題】任意の場所にハンモックを設置できるとともに、使用者がハンモックから落下するのを防止できるハンモックセットを提供する。【解決手段】ハンモックセット１は、上方に立設し、左右方向に配列された一対の支柱１２と、一対の支柱１２の間に配置され、人体が横たわることが可能なハンモック３０と、ハンモック３０を一対の支柱１２からそれぞれ吊り下げる一対の吊り下げ部２０と、を備え、ハンモック３０は、布状体で形成され、左側側縁及び右側側縁において、前後方向に延びる長辺を有する本体３１と、本体３１の長辺に所定間隔で設けられ、吊り下げ部２０と係合する複数の係合部と、を有する。【選択図】図１
0003189161.tif 000002
【実用新案登録請求の範囲】
【請求項１】
上方に立設し、左右方向に配列された一対の支柱と、
一対の前記支柱の間に配置され、人体が横たわることが可能なハンモックと、
前記ハンモックを一対の前記支柱からそれぞれ吊り下げる一対の吊り下げ部と、を備え、
前記ハンモックは、
布状体で形成され、左側側縁及び右側側縁において、前後方向に延びる長辺を有する本体と、
前記本体の前記長辺に所定間隔で設けられ、前記吊り下げ部と係合する複数の係合部と、を有するハンモックセット。
【請求項２】
一対の前記支柱の上端側には、円柱体が左右方向に湾曲して形成され、下方に膨出する円弧形状の上向側縁を有するフックがそれぞれ設けられ、
前記吊り下げ部は、
前記ハンモックの前記係合部と係合する紐部と、
円柱体が前後方向に湾曲して形成され、上方に膨出する円弧形状の下向側縁が形成され、前記紐部と係合する金具部と、を有し、
前記吊り下げ部は、前記金具部の前記下向側縁が、前記フックの前記上向側縁の上から直交した状態で引っ掛けられることで、前記ハンモックを前記支柱から吊り下げる請求項１に記載のハンモックセット。
【請求項３】
前記ハンモックは、
使用状態において人体の臀部から頭部が横たわる体支持部と、
前記体支持部の前端に設けられ、左右方向の幅が前記体支持部の幅より小さい寸法で形成され、使用状態において人体の脚部が横たわる脚支持部と、を有し、
前記脚支持部を前記体支持部の下方に引き込むことで、椅子として機能する請求項１又は２に記載のハンモックセット。
【考案の詳細な説明】
【技術分野】
【０００１】
本考案は、ハンモックセットに関し、特に、上方に立設する一対の支柱と、一対の支柱の間に配置されるハンモックと、ハンモックを一対の支柱から吊り下げる吊り下げ部と、を備えるハンモックセットに関する。
【背景技術】
【０００２】
従来、ハンモックは、両端部を柱や梁や樹木に係止して吊り下げて使用していた。
このため、ハンモックを吊り下げるための柱等がないと使用できないので、使用したい場所で自由に使用することができないという問題があった。
【０００３】
そこで、ハンモック本体の長辺方向の両端部に、脚部を配置し、この脚部の上端部に着脱自在であり且つ装着時に同上端部間を連結する連結具を備え、同連結具にハンモック本体を吊り下げる係止部を設けたハンモック装置が提案されている（特許文献１参照）。
特許文献１のハンモック装置によれば、ハンモック本体を張る場所を選ばず、所望とする箇所であれば、柱や木等のない場所でもハンモック本体を設置できる。
【先行技術文献】
【特許文献】
【０００４】
【特許文献１】特開平７−１９４４３１号公報
【考案の概要】
【考案が解決しようとする課題】
【０００５】
ところで、ハンモックは、長辺方向に沿って体を横たえて使用する。このため、使用者がハンモックの長辺側から、転がり落ちることがある。
例えば、特許文献１のハンモック装置であれば、ハンモック本体は、長辺方向の両端部である短辺側側縁において、係止部に吊り下げられ、長辺側には使用者の落下を防止する構成を備えない。このため、使用者は、バランスを崩すと長辺側から落下してしまう。
【０００６】
本考案は、任意の場所にハンモックを設置できるとともに、使用者がハンモックから落下するのを防止できるハンモックセットを提供することを目的とする。
【課題を解決するための手段】
【０００７】
（１）  上方に立設し、左右方向に配列された一対の支柱と、
一対の前記支柱の間に配置され、人体が横たわることが可能なハンモックと、
前記ハンモックを一対の前記支柱からそれぞれ吊り下げる一対の吊り下げ部と、を備え、
前記ハンモックは、
布状体で形成され、左側側縁及び右側側縁において、前後方向に延びる長辺を有する本体と、
前記本体の前記長辺に所定間隔で設けられ、前記吊り下げ部と係合する複数の係合部と、を有するハンモックセット。
【０００８】
（１）の構成によれば、ハンモックセットは、一対の支柱と、ハンモックと、一対の吊り下げ部と、を備える。
一対の支柱は、上方に立設し、左右方向に配列されている。
ハンモックは、一対の支柱の間に配置され、人体が横たわることが可能である。
一対の吊り下げ部は、ハンモックをそれぞれ一対の支柱から吊り下げる。
そして、ハンモックは、本体と、複数の係合部と、を有する。
本体は、布状体で形成され、左側側縁及び右側側縁において、前後方向に延びる長辺を有する。
複数の係合部は、本体の長辺に所定間隔で設けられ、吊り下げ部と係合する。
【０００９】
これにより、任意の場所に一対の支柱を配置し、ハンモックを吊り下げることができる。
また、ハンモックは、左側側縁及び右側側縁において、前後方向に延びる長辺に設けられた複数の係合部において、吊り下げ部により、一対の支柱から吊り下げられる。このため、ハンモックの長辺側には吊り下げ部が張られるので、吊り下げ部が落下防止の柵と同様の機能を発揮し、ハンモックに横たわる人体が長辺側から落下するのを防止できる。
したがって、任意の場所にハンモックを設置できるとともに、使用者がハンモックから落下するのを防止できるハンモックセットを提供できる。
【００１０】
（２）  一対の前記支柱の上端側には、円柱体が左右方向に湾曲して形成され、下方に膨出する円弧形状の上向側縁を有するフックがそれぞれ設けられ、
前記吊り下げ部は、
前記ハンモックの前記係合部と係合する紐部と、
円柱体が前後方向に湾曲して形成され、上方に膨出する円弧形状の下向側縁が形成され、前記紐部と係合する金具部と、を有し、
前記吊り下げ部は、前記金具部の前記下向側縁が、前記フックの前記上向側縁の上から直交した状態で引っ掛けられることで、前記ハンモックを前記支柱から吊り下げる（１）に記載のハンモックセット。
【００１１】
（２）の構成によれば、一対の支柱の上端側には、円柱体を左右方向に湾曲させて形成し、下方に膨出する円弧形状の上向側縁を有するフックをそれぞれ設けた。
また、吊り下げ部は、紐部と、金具部と、を有する。
紐部は、ハンモックの係合部と係合する。
金具部は、円柱体を前後方向に湾曲させて形成し、上方に膨出する円弧形状の下向側縁を形成し、紐部と係合させた。
そして、吊り下げ部において、金具部の下向側縁を、フックの上向側縁の上から直交した状態で引っ掛けることで、ハンモックを支柱から吊り下げる。
【００１２】
これにより、ハンモックを支柱から吊り下げる吊り下げ部を、円柱体を左右方向に湾曲させたフックに直交した状態で引っ掛けたので、ハンモックを前後方向（本体の長辺方向）に揺動させることができる。即ち、ハンモックに横たわった人体を、揺り籠のように、頭側と足側とを交互に上下させるように揺動させることができる。
また、吊り下げ部とフックとは、吊り下げ部における金具部の下向側縁の下側頂点と、フックにおける上向側縁の上側頂点と、で係合させた。
このため、例えば、フックに直接的に紐部を引っ掛けた場合に比べ、よりスムーズにハンモックを前後方向（本体の長辺方向）に揺動させることができる。
【００１３】
（３）  前記ハンモックは、
使用状態において人体の臀部から頭部が横たわる体支持部と、
前記体支持部の前端に設けられ、左右方向の幅が前記体支持部の幅より小さい寸法で形成され、使用状態において人体の脚部が横たわる脚支持部と、を有し、
前記脚支持部を前記体支持部の下方に引き込むことで、椅子として機能する（１）又は（２）に記載のハンモックセット。
【００１４】
（３）の構成によれば、ハンモックは、体支持部と、脚支持部と、を有する。
体支持部は、使用状態において人体の臀部から頭部が横たわる。
脚支持部は、体支持部の前端に設けられ、左右方向の幅が体支持部の幅より小さい寸法で形成され、使用状態において人体の脚部が横たわる。
そして、ハンモックは、脚支持部を体支持部の下方に引き込むことで、椅子として機能する。
【００１５】
これにより、例えば、通常は、脚支持部を体支持部の下方に引き込み椅子として使用し、横になりたい場合に、脚支持部を引き出し伸ばすことで足先までハンモックに乗せることができる。
よって、ハンモックに、ベッドとソファーとの両方の機能を持たせることができる。
また、通常のソファーのように、座面の下に脚等がないので、座面の下の清掃が容易にできる。
【考案の効果】
【００１６】
本考案によれば、任意の場所にハンモックを設置できるとともに、使用者がハンモックから落下するのを防止できるハンモックセットを提供できる。
【図面の簡単な説明】
【００１７】
【図１】本考案の一実施形態に係るハンモックセット１の斜視図である。
【図２】前記実施形態に係るスタンド１０の斜視図である。
【図３】前記実施形態に係るスタンド１０と吊り下げ部２０とが係合する部分の説明図である。
【図４】前記実施形態に係るハンモック３０の平面図である。
【図５】図４に示す前記実施形態に係るハンモック３０のＡＡ’断面図である。
【図６】前記実施形態に係るハンモックセット１をソファーの形態にした状態の斜視図である。
【考案を実施するための形態】
【００１８】
本考案の実施形態に係るハンモックセット１の構成を図面に基づいて説明する。
図１は、本考案の一実施形態に係るハンモックセット１の斜視図である。
図１中の点線は、ハンモック３０に横たわる使用者の外形を示している。
ハンモックセット１は、スタンド１０と、一対の吊り下げ部２０と、ハンモック３０と、クッション４０と、を備える。
【００１９】
図２は、前記実施形態に係るスタンド１０の斜視図である。
スタンド１０は、一対のベース１１と、一対の支柱１２と、横架部材１３と、を備える。
一対のベース１１は、前後方向に延びる棒状体で形成され、設置面（例えば、床面や地盤面等）において、左右方向に所定間隔で配置されている。
なお、一対のベース１１は、例えば、４本の脚と、これらを互いに連結する連結部材とで構成してもよい。このように、一対のベース１１は、少なくとも４点接地できれば、任意の構成とすることができる。
【００２０】
一対の支柱１２は、それぞれ一対のベース１１の略中央から、互いに離れるように斜め上方に立設する棒状体で形成されている。即ち、一対の支柱１２は、前面側から視て、逆八の字形状を形成している。
【００２１】
一対の支柱１２の上端側には、円柱体を左右方向に湾曲させてＵの字形状に形成されたフック１４がそれぞれ設けられている。
図３は、前記実施形態に係るスタンド１０と吊り下げ部２０とが係合する部分の説明図である。
フック１４は、下方に膨出する円弧形状の上向側縁１４１を有する。
【００２２】
図２に戻って、横架部材１３は、左右方向に延びる棒状体で形成され、一対の支柱１２の間において、ハンモック３０（図１参照）に当接しない高さに配置され、一対の支柱１２を互いに連結する。
【００２３】
一対の吊り下げ部２０は、図１に示すように、ハンモック３０をそれぞれ一対の支柱１２から吊り下げる。
図３に示すように、吊り下げ部２０は、金具部２１と、紐部２２と、カバー２３（図３においては点線で外形のみを示している）と、を有する。
【００２４】
金具部２１は、円柱体が環形状に形成され、フック１４と係合するフック係合部２１１と、フック係合部２１１の下方に配置され、紐部２２と係合する紐部係合部２１２と、フック係合部２１１と紐部係合部２１２とを連結する連結部２１３と、を備える。
【００２５】
フック係合部２１１は、円柱体が前後方向（図１に示す前後方向）に湾曲して形成され、上方に膨出する円弧形状の下向側縁２１１ａが形成されている。
フック係合部２１１は、フック１４の上向側縁１４１の上から直交した状態で引っ掛けられる。これにより、下向側縁２１１ａの下側頂点は、フック１４における上向側縁１４１の上側頂点と係合する。
【００２６】
紐部係合部２１２は、ハンモック３０の長辺方向（図１に示す前後方向）と同じ方向に延びる開口部２１２ａが形成されている。
開口部２１２ａの下端には、円柱体で形成された下側側縁２１２ｂが配置されている。
下側側縁２１２ｂには、紐部２２が巻き回されている。
【００２７】
連結部２１３は、紐部係合部２１２の両端部近傍とフック係合部２１１の下端近傍とを連結する。なお、連結部２１３は、紐部係合部２１２の重心を通る線（以下、「重心線」とも言う。）上でフック係合部２１１と連結すれば、任意の形状とすることができる。例えば、本実施形態では、連結部２１３は、紐部係合部２１２の両端部近傍からそれぞれ紐部係合部２１２の重心線に延びる一対の棒状体で形成しているが、これに限らず、重心線で延びる一つの棒状体で形成してもよい。また、紐部係合部２１２を重心線上で、フック係合部２１１と連結できれば、連結部２１３を省略してもよい。
【００２８】
紐部２２は、１本の紐状体で形成され、紐部係合部２１２の開口部２１２ａと、後述するハンモック３０の複数の係合部３２と、に交互に挿通されている。なお、本実施形態では紐部２２を１本で構成しているが、これに限らず、紐部２２を複数本で構成し、各係合部３２と開口部２１２ａとを一つずつ連結してもよい。
カバー２３は、フック係合部２１１の下向側縁２１１ａ以外の部分、紐部係合部２１２及び連結部２１３を覆う。
【００２９】
以上のように、一対の吊り下げ部２０は、金具部２１におけるフック係合部２１１の下向側縁２１１ａを、フック１４の上向側縁１４１の上から直交した状態で引っ掛け、紐部係合部２１２の開口部２１２ａとハンモック３０の複数の係合部３２に紐部２２を巻き回すことで、ハンモック３０をスタンド１０の一対の支柱１２から吊り下げる。
【００３０】
ハンモック３０は、図１に示すように、スタンド１０の一対の支柱１２の間に配置され、人体が横たわることが可能に構成されている。
図４は、前記実施形態に係るハンモック３０の平面図である。
ハンモック３０は、本体３１と、複数の係合部３２と、を有する。
【００３１】
本体３１は、布状体で形成され、左側側縁及び右側側縁において、前後方向に延びる長辺３１ａを有する。
【００３２】
本体３１は、体支持部３１１と、脚支持部３１２と、を有する。
体支持部３１１は、平面視で長方形形状に形成され、その長辺３１ａが後方から前方に延び、使用状態において人体の臀部から頭部が横たわる。
脚支持部３１２は、平面視で長方形形状に形成され、体支持部３１１の前端に設けられ、左右方向の幅が体支持部３１１の幅より小さい寸法で形成され、使用状態において人体の脚部が横たわる。
体支持部３１１及び脚支持部３１２は、その中心が同一の中心線Ｃ上に配置されている。
【００３３】
図５は、図４に示す前記実施形態に係るハンモック３０のＡＡ’断面図である。
本体３１は、上方に配置された表地３１ｂと、下方に配置された裏地３１ｃと、を備える。表地３１ｂと裏地３１ｃとは、重ねて配置され、側縁から内側に所定寸法入った位置において、互いに縫合されている。これにより、本体３１には、側縁から所定寸法の幅で、表地３１ｂと裏地３１ｃとが接合していない非接合部３１ｄが形成されている。
【００３４】
係合部３２は、帯形状の部材の両端部が重ね合わせられ、非接合部３１ｄにおいて、吊り下げ部２０の紐部２２が挿通する筒部３２１が形成され、両端部が表地３１ｂと裏地３１ｃと共に縫合されている。
図４に示すように、複数の係合部３２は、本体３１の長辺３１ａに所定間隔で設けられ、紐部２２が筒部３２１に挿通されることで、吊り下げ部２０と係合する。
【００３５】
図１に示すように、クッション４０は、ハンモック３０の本体３１の上に載置され、使用者の頭部を支持する頭部用クッション４１と、使用者の背中を支持する背中用クッション４２と、使用者の臀部を支持する臀部用クッション４３と、を備える。
頭部用クッション４１は、本体３１に面ファスナにより固定されている。これにより、本体３１の後方側を前方側より上に配置しても、頭部用クッション４１が下方に落下しない。
【００３６】
次に、本実施形態に係るハンモックセット１の組み立て手順を説明する。
まず、ハンモック３０に吊り下げ部２０を取り付ける。詳細には、吊り下げ部２０の紐部２２を吊り下げ部２０の金具部２１とハンモック３０の係合部３２に巻き回す。具体的には、紐部２２の一端を、金具部２１の下側側縁２１２ｂに固定する。そして、紐部２２をその他端側から、ハンモック３０の一端側に配置されたある係合部３２に挿通させ、次に、金具部２１の開口部２１２ａに挿通させ、次に、ある係合部３２に隣接する係合部３２挿通させ、同様に、ハンモック３０の他端側に配置された係合部３２まで、係合部３２と開口部２１２ａとに交互に挿通させる。そして、紐部２２の他端を、下側側縁２１２ｂに固定する。
次に、ハンモック３０を取り付けた吊り下げ部２０の金具部２１のフック係合部２１１を、スタンド１０のフック１４に引っ掛け、ハンモック３０をスタンド１０に吊り下げる。
そして、各係合部３２と開口部２１２ａとの間における紐部２２の長さを調整し、ハンモック３０の左右両端部の高さを揃えるとともに、ハンモック３０の前後両端部の高さを調整し、ハンモック３０の角度（前端の高さに対する後端の高さ）を所望の角度に調整する。
【００３７】
次に、本実施形態に係るハンモックセット１の使用方法について説明する。
図６は、前記実施形態に係るハンモックセット１をソファーの形態にした状態の斜視図である。
例えば、ハンモックセット１をソファーとして使用する場合、使用者は、ハンモック３０の脚支持部３１２を体支持部３１１の下方に引き込み、図６に示す状態とする。これにより、ハンモックセット１は、ソファーの形態となる。
そして、使用者は、横になりたい場合には、脚支持部３１２を体支持部３１１の下方から引き出し、ハンモック３０の本体３１を伸ばし、図１に示す状態とする。
【００３８】
次に、本実施形態に係るハンモックセット１の作用効果について説明する。
本実施形態によれば、任意の場所に一対の支柱１２を配置し、ハンモック３０を吊り下げることができる。
また、ハンモック３０は、左側側縁及び右側側縁において、前後方向に延びる長辺３１ａに設けられた複数の係合部３２において、吊り下げ部２０により、一対の支柱１２から吊り下げられる。このため、ハンモック３０の長辺３１ａ側には吊り下げ部２０が張られるので、吊り下げ部２０が落下防止の柵と同様の機能を発揮し、ハンモック３０に横たわる人体が長辺３１ａ側から落下するのを防止できる。
したがって、任意の場所にハンモックを設置できるとともに、使用者がハンモックから落下するのを防止できるハンモックセットを提供できる。
【００３９】
また、本実施形態によれば、ハンモック３０を支柱１２から吊り下げる吊り下げ部２０を、円柱体を左右方向に湾曲させたフック１４に直交した状態で引っ掛けたので、ハンモック３０を前後方向（本体の長辺方向）に揺動させることができる。即ち、ハンモック３０に横たわった人体を、揺り籠のように、頭側と足側とを交互に上下させるように揺動させることができる。
また、吊り下げ部２０とフック１４とは、吊り下げ部２０における金具部２１の下向側縁２１１ａの下側頂点と、フック１４における上向側縁１４１の上側頂点と、で係合させた。
このため、例えば、フック１４に直接的に紐部２２を引っ掛けた場合に比べ、よりスムーズにハンモック３０を前後方向（本体の長辺方向）に揺動させることができる。
【００４０】
また、本実施形態によれば、ハンモック３０は、脚支持部３１２を体支持部３１１の下方に引き込むことで、椅子として機能する。これにより、通常は、脚支持部３１２を体支持部３１１の下方に引き込み椅子として使用し、横になりたい場合に、脚支持部３１２を引き出し伸ばすことで足先までハンモック３０に乗せることができる。
よって、ハンモック３０に、ベッドとソファーとの両方の機能を持たせることができる。
また、通常のソファーのように、座面の下に脚等がないので、座面の下の清掃が容易にできる。
【００４１】
なお、本考案は前記実施形態に限定されるものではなく、本考案の目的を達成できる範囲での変形、改良等は本考案に含まれるものである。
【符号の説明】
【００４２】
１      ハンモックセット
１０    スタンド
１１    ベース
１２    支柱
１３    横架部材
１４    フック
１４１  上向側縁
２０    吊り下げ部
２１    金具部
２１１  フック係合部
２１１ａ  下向側縁
２１２  紐部係合部
２１２ａ  開口部
２１２ｂ  下側側縁
２１３  連結部
２２    紐部
２３    カバー
３０    ハンモック
３１    本体
３１ａ  長辺
３１ｂ  表地
３１ｃ  裏地
３１ｄ  非接合部
３１１  体支持部
３１２  脚支持部
３２    係合部
３２１  筒部
【図１】
0003189161.tif 000003
【図２】
0003189161.tif 000004
【図３】
0003189161.tif 000005
【図４】
0003189161.tif 000006
【図５】
0003189161.tif 000007
【図６】
0003189161.tif 000008